(57)【要約】  コンピュータデバイス（１０）はベース部材（２０）に連結されている表示部材（１８）を備え、ベース部材（２０）に対する表示部材（１８）の様々な位置付けを可能にする。コンピュータデバイス（１０）はまた有効／無効システム（１２）を備え、有効／無効システム（１２）は、ベース部材（２０）に対する表示部材（１８）の位置に基づいて、コンピュータデバイス（１０）の動作状態を変えることなく、無線送信機（１４）を自動的に無効にするように構成される。
2009512339.tif 000002
【特許請求の範囲】
【請求項１】
コンピュータデバイス（１０）であって、
ベース部材（２０）に対する表示部材（１８）の様々な位置付けを可能にするように前記ベース部材（２０）に連結されている前記表示部材（１８）と、
前記ベース部材（２０）に対する前記表示部材（１８）の位置に基づいて、前記コンピュータデバイス（１０）の動作状態を変えることなく、無線送信機（１４）を自動的に無効にするように構成される有効／無効システム（１２）とを備えることを特徴とするコンピュータデバイス（１０）。
【請求項２】
前記有効／無効システム（１２）は、前記ベース部材（２０）に対する前記表示部材（１８）の位置を示す信号を送信するように構成されているスイッチ（２４、３４）をさらに備えることを特徴とする請求項１に記載のコンピュータデバイス（１０）。
【請求項３】
前記有効／無効システム（１２）は、前記表示部材（１８）が前記ベース部材（２０）に対して閉位置に移動していることに応答して作動可能であるスイッチ（２４、３４）を備えることを特徴とする請求項１に記載のコンピュータデバイス（１０）。
【請求項４】
前記有効／無効システム（１２）は、前記表示部材（１８）が前記ベース部材（２０）に対する所定位置から離れる方向に移動していることに応答して、前記無線送信機（１４）を自動的に有効にするように構成されることを特徴とする請求項１に記載のコンピュータデバイス（１０）。
【請求項５】
前記有効／無効システム（１２）は、前記表示部材（１８）が前記ベース部材（２０）に対して所定のタブレットモード構成に位置付けられていることに応答して、前記無線送信機（１４）を自動的に無効にするように構成されることを特徴とする請求項１に記載のコンピュータデバイス（１０）。
【請求項６】
コンピュータデバイス（１０）を製造する方法であって、
ベース部材（２０）に対する表示部材（１８）の様々な位置付けを可能にするように、前記表示部材（１８）を前記ベース部材（２０）に連結することと、
前記ベース部材（２０）に対する前記表示部材（１８）の位置に基づいて、前記コンピュータデバイス（１０）の動作状態を変えることなく、無線送信機（１４）を自動的に無効にするように構成される有効／無効システム（１２）を提供することとを含むことを特徴とするコンピュータデバイス（１０）を製造する方法。
【請求項７】
前記有効／無効システム（１２）を提供することは、前記ベース部材（２０）に対する前記表示部材（１８）の位置を示す信号を送信するように構成されるスイッチ（２４、３４）を設けることを含むことを特徴とする請求項６に記載の方法。
【請求項８】
前記有効／無効システム（１２）を提供することは、前記表示部材（１８）が前記ベース部材（２０）に対して近接して配置されていることに応答して作動可能であるスイッチ（２４、３４）を設けることを含むことを特徴とする請求項６に記載の方法。
【請求項９】
前記表示部材（１８）が前記ベース部材（２０）に対する所定位置から離れる方向に移動していることに応答して前記無線送信機（１４）を自動的に有効にする、前記有効／無効システム（１２）を構成することをさらに含むことを特徴とする請求項６に記載の方法。
【請求項１０】
前記表示部材（１８）が前記ベース部材（２０）に対する所定のタブレットモード構成に位置付けられることに応答して、前記無線送信機（１４）を自動的に無効にする、前記有効／無効システム（１２）を構成することをさらに含むことを特徴とする請求項６に記載の方法。
【発明の詳細な説明】
【背景技術】
【０００１】
ラップトップコンピュータ又はノートブックコンピュータ等のコンピュータデバイスは、１つ又は複数の外部のソースとの無線通信を容易にするために無線送信機を使用する。しかし、特定の状況では、ユーザは、送信機をオフにすることを所望する場合がある（例えば電力消費（例えばバッテリ寿命の節減）の理由、飛行機移動、又はその他の理由から）。無線送信機をオフにすることを容易にする一方法は、手動作動可能スイッチである。しかし、このような手動スイッチを組み込むコンピュータデバイスは、ユーザにとって不便であり、ユーザがスイッチを手動で起動することを忘れる場合に不適当なものとなる。
【発明の開示】
【０００２】
次に、本発明、並びにその目的及び利点のより十分な理解のために、添付の図面と併せて以下の説明を参照する。
【発明を実施するための最良の形態】
【０００３】
本発明の好適な実施形態及びその利点は、図面の図１〜図３を参照することによって最もよく理解され、種々の図面の同様の及び対応する部分には同様の符号を用いている。
【０００４】
図１は、無線送信機１４の有効／無効システム１２の実施形態を用いる、コンピュータデバイス１０の前方斜視図である。図１に示す実施形態では、コンピュータデバイス１０はラップトップコンピュータすなわちノートブックコンピュータで構成される。しかし、コンピュータデバイス１０は、タブレットパーソナルコンピュータ、及び他のタイプのポータブル及び／又はハンドヘルドコンピューティングデバイス等の他のタイプのコンピュータデバイスで構成され得ることを理解されたいが、これらに限定されない。図１に示す実施形態では、コンピュータデバイス１０は、ヒンジ２２によってベース部材２０に回転可能に連結されている表示部材１８を備える。図１に示す実施形態では、無線送信機１４は表示部材１８内に配置される。しかし、無線送信機１４は他の位置に配置されてもよいことを理解されたい。無線送信機１４は、例えば、無線周波数（ＲＦ）アンテナ、平面逆Ｆ型アンテナ（ＰＩＦＡ）、ループ型アンテナ、及び／又はコンピュータデバイス１０の関連する内部回路に連結される他のタイプのアンテナ機構を含み得る。図１では、１つのみの無線送信機１４が表示部材１８に配置されて示されている。しかし、より多くの数の無線送信機１４を表示部材１８内に、及び／又はベース部材２０内に配置し得ることを理解されたい。
【０００５】
図１に示す実施形態では、システム１２は、ベース部材２０に対する表示部材１０の位置を検出するスイッチ２４を備える。図１に示す実施形態では、スイッチ２４は、ベース部材２０の作動面３０の開口２８を通って少なくとも部分的に上方に延在すると共に、表示部材１８との接触（例えば、ベース部材２０に対して図１に示すような開位置から、且つ／又は閉位置に移動する表示部材１８による接触）に反応してベース部材２０内に少なくとも部分的に後退するように付勢されている押下可能ボタン２６を備える。しかし、ボタン２６は他の位置に配置されてもよいことを理解されたい（例えば、作動面３０上の任意の場所、ボタン２６が表示部材１８上に配置される逆位置等）。さらに、他のデバイス及び／又は機構（例えば接触要素、機械式トグル等）を、ボタン２６の代わりに使用してもよいことを理解されたい。
【０００６】
動作時に、表示部材１８が矢印３２で示す方向にベース部材２０に向けて回転し、ベース部材に対する閉位置、及び／若しくは所定の位置又は構成になると、表示部材１８はベース部材２０に近づき、ボタン２６に係合することによりスイッチ２４を作動させる。スイッチ２４の作動により、コンピュータデバイス１０のハードウェア、ソフトウェア及び／又はこれらの組合せ（例えばコンピュータデバイス１０のベーシックインプット／アウトプットシステム（ＢＩＯＳ）、オペレーティングシステム又は他のハードウェア、及び／若しくはソフトウェアベースの構成要素により）によって割り込み信号及び／又は他のタイプの信号を生成するか、及び／又は他の方法で処理して、無線送信機１４を無効にする、他方で、コンピュータデバイス１０の１つ又は複数の他の操作上のシステム及び／若しくは構成要素は、「オン」、すなわち電源が入っている状態及び／又は状況のままである（例えば、コンピュータデバイス１０の残りの１つ又は複数の他の操作上のシステム及び／又は構成要素は、送信機１４を無効にすることによって影響を受けない）。したがって、動作時に、コンピュータデバイス１０を閉じると（例えば表示部材１８が、ベース部材２０に対して所定の構成、距離及び／又は位置になると）、送信機１４は無効にされる。
【０００７】
本発明の実施形態はまた、送信機１４を自動的に有効にする。例えば、図１に示す実施形態では、表示部材１８がベース部材２０から離れる方向に、及び／又はベース部材２０に対して所定の位置又は構成から離れる方向に移動することに応答して、表示部材１８がボタン２６から係脱することにより、コンピュータデバイス１０のハードウェア、ソウトウェア、及び／又はこれらの組合せ（例えばコンピュータデバイス１０のベーシックインプット／アウトプットシステム（ＢＩＯＳ）、オペレーティングシステム又は他のハードウェア、及び／若しくはソフトウェアベースの構成要素により）によって信号を生成するか、及び／又は他の方法で処理して、無線送信機１４を有効にし、この一方で、コンピュータデバイス１０の１つ又は複数の他のオペレーティングシステム及び／若しくは構成要素は影響を受けないままである。
【０００８】
図２は、有益にするためにシステム１２を有効／無効にする別の実施形態を用いるコンピュータデバイス１０の前方斜視図である。図２に示す実施形態では、システム１２は、ベース部材２０に配置されるセンサ要素３６と、表示部材１８に配置されるセンサ要素３８とを備えるスイッチ３４を備える。動作時には、スイッチ３４は、コンピュータデバイス１０のハードウェア、ソフトウェア、及び／又はこれらの組合せによって生成されるか、及び／又は他の方法で処理される信号を妨げるか及び／又は送信し、このことによって無線送信機１４を無効にし、これは、センサ要素３６及び３８が互いに対して所定距離内に、及び／又は近接して位置付けられていることに応答してなされる。したがって、表示部材１８がベース部材２０に対して閉じた、及び／又は別の所定の構成若しくは位置にある場合、無線送信機１４は無効にされ、この一方で、コンピュータデバイス１０の１つ又は複数の他のシステム及び／若しくは構成要素は、「オン」、すなわち電源が入った状態のままである。
【０００９】
図２に示す実施形態では、センサ要素３６はリードスイッチ４０を備え、センサ要素３８は磁石４２を備えることによって、磁石４２が生成する磁界に応答してリードスイッチ４０が作動されるようにする。したがって、リードスイッチ４０の作動により、割り込み信号及び／又は生成された信号が無線送信機１４を無効にする。リードスイッチ４０及び磁石４２の場所及び／又は位置は、別様に逆であってもよいことも理解されたい（例えば、表示部材１８に配置されるリードスイッチ４０及びベース部材２０に配置される磁石４２）。さらに、表示部材１８のベース部材２０に対する位置付けを検出するのに、他のタイプの非機械的センサ要素をスイッチ４２に用いてもよいことを理解されたい。
【００１０】
本発明の実施形態はまた、送信機１４を自動的に有効にする。例えば、図２に示す実施形態では、表示部材１８がベース部材２０から離れる方向に、及び／又はベース部材２０に対して所定の位置又は構成から離れる方向に移動することに応答して（例えばセンサ要素３６及び３８が互いから離れる方向に移動するのに応答して）、スイッチ３４は作動が停止され、それにより、コンピュータデバイス１０のハードウェア、ソウトウェア、及び／又はこれらの組合せ（例えばコンピュータデバイス１０のベーシックインプット／アウトプットシステム（ＢＩＯＳ）、オペレーティングシステム又は他のハードウェア、及び／若しくはソフトウェアベースの構成要素により）によって信号を生成するか、及び／又は他の方法で処理して、送信機１４を有効にし、この一方で、コンピュータデバイス１０の１つ又は複数の他のオペレーティングシステム及び／若しくは構成要素は影響を受けないままである。
【００１１】
センサ要素３６及び３８は、送信機１４を自動的に有効及び／又は無効にするために、ベース部材に対する表示部材１８の種々の構成に対応するように表示部材１８及び／又はベース部材２０のさまざまな位置に位置付けることができる。例えば、本発明のいくつかの実施形態では、表示部材１８がタブレットモードで使用されている場合に、送信機１４を自動的に有効／無効にすることができるようにセンサ３６及び３８を位置付ける。例えば、本発明のいくつかの実施形態では、センサ要素３６をベース部材２０の底面６０に近接して、及び／又はこの近くに位置付け、センサ要素３８を表示部材１８の後面６２に近接して、及び／又はこの近くに位置付ける。このような実施形態では、表示部材１８がベース部材２０に対して方向３２とは反対の方向に回転すること（例えば表示部材１８のキーボード６６から離れる方向への回転）に応答して、覆うように、又はそうでなければ表示部材１８をベース部材２０の底面６０近くに、又はこれに当接して位置付けることにより、表示部材１８をタブレットモードで位置付け、センサ要素３６及び３８を互いに対して所定距離内に、及び／又は近接して位置付け、これにより送信機１４を無効にする。したがって、表示部材１８がタブレットモード外へ移動すること（例えば表示部材１８がベース部材２０の底面６０から離れる方向に移動すること）に応答して、表示部材１８がベース部材２０に対する所定位置及び／又は構成から離れる方向に移動することにより、送信機１４を自動的に有効にする。
【００１２】
本発明のさらに他の実施形態では、表示部材１８がベース部材２０に対して異なる位置及び／又は構成に位置付けられるのに応答して送信機１４を自動的に有効及び／又は無効にするように、センサ要素３６及び３８を表示部材１８及び／又はベース部材２０の複数の位置に位置付けることができる。例えば、本発明のいくつかの実施形態では、コンピュータデバイス１０は、表示部材１８を、底面６０の近く又はこれに当接して位置付けられるタブレットモードにおいて（例えば上述したように方向３２とは反対の方向への表示部材の回転）、又はキーボード６６の近く又はこれに当接して位置付けられるタブレットモード（例えばキーボード６６とは面しない方へ表示部材１８の表示要素の方向を逆にする、垂直軸を中心にした表示部材の回転）において使用できるように構成される。したがって、本発明のいくつかの実施形態では、表示部材１８がベース部材２０に対する任意の種々の構成におけるタブレットモードで使用される場合、センサ要素３６及び３８はベース部材２０上の１つ又は複数の位置、及び表示部材１８上の１つ又は複数の位置に位置付けられ、送信機１４を自動的に無効にする。したがって、表示部材がベース部材２０に対する所定のタブレット構成から離れるように移動することに応答して、送信機１４は自動的に有効にされる。
【００１３】
図３は、本発明による、送信機１４を有効／無効にする方法の一実施形態を示すフローチャートである。本方法は、判定ブロック５０で開始し、この判定ブロックでは、表示部材１８のベース部材２０に対する位置／及び構成に関する判定が行われる。表示部材１８がベース部材２０に対して開位置にあるか、或いはベース部材２０に対する閉位置、又は他の所定の位置若しくは構成から離れる方向に移動していると判定された場合、方法はブロック５２に進み、ここでは送信機１４が作動されるか、及び／又はそうでなければ動作的に有効にされる。ブロック５０において、（例えばスイッチ２４又は３４の作動によって）表示部材１８がベース部材２０に対する閉位置、又は他の所定の位置若しくは構成にあると判定される場合、方法はブロック５４に進み、ここでは送信機１４が無効にされる。判定ブロック５６において、ベース部材２０に対する表示部材１８の位置及び／又は構成に変化があったかどうかが判定される。ベース部材２０に対する表示部材１８の位置に変化がなかった場合、方法はブロック５８に進み、ここではベース部材２０に対する表示部材１８の位置が引き続き監視される。ベース部材２０に対する表示部材１８の位置又は構成に変化があった場合、方法はブロック５０に戻る。
【００１４】
本発明の実施形態は、無線送信機１４を、表示部材１８の位置のみに基づいて自動的に起動するか又は無効にすることができるコンピュータデバイス１０を提供し、これは、コンピュータデバイス１０の全体及び／又は他の動作構成要素として、コンピュータデバイス１０の動作状態及び／又は電源が入った状況に影響を与えることなくなされる。したがって、本発明の実施形態は、コンピュータデバイス１０の他の動作構成要素及び／又はシステムとは別個に送信機１４を起動及び／又は無効にすることができることにより、オペレーティングシステム及び他の動作構成要素及び／又はアプリケーションを、そのような送信機１４を起動／無効にすることによっては影響を受けないままであるようにすることができる。さらに、本発明の実施形態は、電力を節減し（例えば表示部材１８をベース部材２０に対して閉じることに応答して送信機１４を自動的に無効にすること）、特定の状況下では有害であると考えられ得る信号を無線送信機１４が放出しているという懸念を軽減し、且つコンピュータデバイス１０と他の有線ネットワーク及び無線ネットワークとの間の混乱及び／又は干渉を回避する（例えば送信機１４は、飛行機内で閉位置で収容される場合には自動的に無効にされる）。さらに、本発明の実施形態は、無効システム１２が、コンピュータデバイス１０及び／又はオペレーティングシステムの電源を切ることなく無線送信機１４を自動的に無効にすることを可能にし、無線送信機１４を再起動することが望まれる場合にコンピュータデバイス１０の再起動を回避するようにする。
【図面の簡単な説明】
【００１５】
【図１】有益にするために無線送信機有効／無効システムの実施形態を用いる、本発明によるコンピュータデバイスの前方斜視図である。
【図２】有益にするために無線送信機有効／無効システムの別の実施形態を用いる、本発明によるコンピュータデバイスの前方斜視図である。
【図３】本発明による、無線送信機を有効／無効にする方法の実施形態を示すフローチャートである。
【図１】
2009512339.tif 000003
【図２】
2009512339.tif 000004
【図３】
2009512339.tif 000005
【国際調査報告】
2009512339.tif 000006
2009512339.tif 000007
2009512339.tif 000008